(57)【要約】【課題】  幅及び長さの異なる保護具を専用の製造設備を備えることなく製造でき、１種類の本体片で保護具の本体部を低コストで製作可能な保護具及びその製造方法を提供する。【解決手段】  本体片１２のいずれか一方を１８０度反転させて左右に対向する本体片１２の平坦部２４、２５を重合してなる本体部２を保護手段とし、該保護手段に止着された内カバー４と外カバー５の間隙に締結手段である締結部材３を具備するようにした。【選択図】図４
2007021149.tif 000002
【特許請求の範囲】
【請求項１】
通気性を有するメッシュ素材からなり、先端部と、側部と、平坦部とからなる本体部と、前記先端部と対向する後端部に開口部を有するとともに、グローブ形状をなす保護手段と、前記開口部に具備された締結手段とを有する保護具において、前記保護手段を構成する前記本体部は、２つの同一の本体片からなり、前記本体片のいずれか一方を反転させた構成からなることを特徴とする保護具。
【請求項２】
前記保護手段の前記本体部を構成する前記先端部と、前記平坦部とが重合構造であって、前記先端部と前記平坦部とが重合する範囲において、前記保護手段は、前記本体部の幅を所定の寸法に設定可能にしたことを特徴とする請求項１記載の保護具。
【請求項３】
前記本体部をなす前記本体片を製造する製造型は、前記本体片の内部形状と同一の形状を有するとともに、前記製造型は、中央部が同一断面を有する複数の型片に分割可能であり、前記型片の使用個数を可変した前記製造型によって、製造された前記本体片からなる前記保護手段であることを特徴とする保護具の製造方法。
【請求項４】
前記本体部に於ける前記開口部の内方に、少なくとも一端を止着した内カバーと、前記内カバーの外方に前記締結手段を具備するとともに、前記内カバーと前記締結手段とを囲むように外カバーを被覆し、前記外カバーの一端を前記本体部に止着したことを特徴とする請求項１または請求項２記載の保護具。
【請求項５】
前記締結手段がバックル本体と差し込み部及び誤動作防止部材とからなり、前記バックル本体と前記差し込み部とに渡って連結されたバンドとから構成したことを特徴とする請求項１または請求項２記載の保護具。
【請求項６】
前記締結手段がビーズバンドタイプの係止部材またはループファスナーまたは面ファスナーまたは紐のいずれかからなることを特徴とする請求項１または請求項２記載の保護具。
【請求項７】
前記保護手段において、前記メッシュ素材が高密度ポリエチレン、低密度ポリエチレン、ポリプロピレンのいずれかからなることを特徴とする請求項１または請求項２記載の保護具。
【発明の詳細な説明】
【技術分野】
【０００１】  本発明は、医療分野では手に傷害や疾患を持つ患者の手を保護する保護具である。また、介護分野では認知症等を患う被介護者が予期しない行動、行為から手に負傷を負わないこと、介護者が被介護者から手による傷害を直接受けないことを利用目的とした保護具に関するものである。
【背景技術】
【０００２】  従来から医療分野では患者自身が手で行う行為、例えば、点滴チューブ、カテーテル、注射針等を抜いてしまうことや、爪で体を掻きむしって皮膚に傷を負うことがあった。また、介護分野では認知症患者が予期しない行動、行為、例えば自身が認知しない暴力的行為で認知症患者や介護者が負傷することがあり問題視されている。このような行為を抑制する手段として、以前から紐やバンドで患者の手首をベッドサイドに括り付けることが行われていた。しかし、現在、このような抑制手段は、患者が感じる精神的なストレスや人権的な配慮等から行われることはない。このような抑制手段に変わって近年、手全体を覆うメッシュ素材のグローブ形状の保護具がある。【０００３】  以下に、従来の保護具について特許文献１及び特許文献２を用いて説明する。
従来から、特許文献１（特開平８−１３１４６８号公報）に開示された手を保護する保護具がある。【０００４】  保護具である筒状本体は、半硬質の高圧ポリエチレン材料からなり、円筒形状の筒部と、筒部の一端から突出する曲面形状の閉塞端部とを有し、全体として角のない曲面で構成された有底筒体の形状を有している。これら筒部と閉塞端部とは、全面に格子状の透孔を有する同一の素材で作られている。そして筒状本体は、大人の手を楽に収容できる程度の大きさの形状寸法を有している。胴部は、筒状本体の開口端縁に縫い付けられた前半部から後方に連続して延びる後半部分と、を有している。胴部は、前半部分設けられた第１の締付手段と、後半部分に設けられた第２の締付手段とを有して構成されている。【０００５】  また、手を保護する保護具として特許文献２（特開２００３−２４３５７号公報）に開示された発明がある。第１実施例は、概念的な発明であって、実質的な発明で製造されるものは特許文献２の図７以降に示す第２実施例の発明である。【０００６】  保護具である医療用拘束グローブは、網目構造材の平板ネットを裁断した後、中空グローブ本体、手首部と、胴部と、先端部とからなる成形素材片に遠赤外線で加熱形成して構成されている。また、手首部には手首を保持するための保護バンドと該保護バンドを締結するためのバックルとが取り付けられている。また、手に医療用拘束グローブを装着する際の出し入れを容易にするために開口部を広げる目的でファスナーが取り付けられて構成されている。
【特許文献１】特開平８−１３１４６８号公報
【特許文献２】特開２００３−２４３５７号公報
【発明の開示】
【発明が解決しようとする課題】
【０００７】  しかしながら、特許文献１に記載の保護具は、保護手段である筒状本体は、色々なサイズへの提案がなされていないので、子供や女性等比較的手の小さい利用者と手のサイズが大きい利用者へのそれぞれの対応としては、色々なサイズに対応するそれぞれの製造型を備える必要があり、製造コストが高くなる問題があった。【０００８】  また、締結手段である胴部の前半部分設けられた第１の締付手段と、後半部分に設けられた第２の締付手段とを有して構成されおり、それぞれ胴部に縫い付けられて止着されているので製造工程が増えてコストが高くなっていた。従って、従来の保護具は、一般にサイズの大きなものを１種類のみを製造して販売していた。また、その販売価格は、非常に高く１セットにつき１５，０００円以上するものもあり、利用者の経済的な負担となって、一般には普及していなかった。【０００９】  また、特許文献２に記載の保護具にあっては、保護具である医療用拘束グローブの中空グローブ本体を構成する部品点数が手首部と胴部と先端部との少なくとも３点を必要とした。また、中空グローブ本体の湾曲強度を高めるため重合部には帯状の芯板を嵌入する等して製作されていた。従って、これらの部品を製造するための製造型を複数必要とし、結果的に部品単価及び管理費を含む製品の製造単価が高くなる欠点があった。【００１０】  また、前記保護具である医療用拘束グローブの中空グローブ本体は、幅及び長さ方向に異なるサイズの保護具を製造しようとすると長さ方向は、胴部の寸法を変えることによって、比較的容易に対応可能であるが、幅方向の寸法を変えるには手首部と先端部の製造型を別途に備える必要があったので設備費が高くなり、色々なサイズの保護具を提供する場合、製品の製造単価が高くなる欠点もあった。【００１１】  また、特許文献２に記載の保護具の締結手段は、手首を保持するための保護バンドと該保護バンドを締結するためのバックルと開口部を広げる目的でファスナーとの２つ手段のから構成されているので、装着時の取り扱いが複雑になるばかりか、前記中空グローブ本体の手首部への止着工程が必要となり、製造コストを押し上げる要因になって、結果的に製品コストが高くなる等の問題もあった。【００１２】  また、上記した特許文献１または２いずれの場合も、手首を保持する締結手段が保護具の外方に剥き出しになり、手錠のように拘束されるので利用者の精神的な負担が増大する等の問題もあった。【００１３】  本発明は、上記した問題点を解決するために成されたもので、その第１の目的とするところは、保護手段の本体部を同一の２つの本体片で製作でき、この２つの本体片を重合させ、この重合範囲を任意に設定することによって、色々な幅サイズの保護具が低コストで容易に製作可能な保護具及び製造方法を提供すること。【００１４】  また、第２の目的とするところは、保護手段の本体部を製造する製造型を特に専用に備えることなく、色々な長さの保護具を低コストで容易に製作可能にする保護具の製造方法を提供すること。【００１５】  また、第３の目的とするところは、締結手段の構成を簡素にし、保護具への止着等取り付け工程を不要とすることでコストダウンを図るとともに、保護具の外方に締結手段を剥き出しにすることなく外観の美観の向上を図り、利用者にとっても、心理的な負担を減らし、子供から大人まで利用しやすい保護具を低コストで提供することにある。
【課題を解決するための手段】
【００１６】  上記した目的を達成するために、本発明に係る保護具は、通気性を有するメッシュ素材からなり、先端部と、側部と、平坦部とからなる本体部と、前記先端部と対向する後端部に開口部を有するとともに、グローブ形状をなす保護手段と、前記開口部に具備された締結手段とを有する保護具において、前記保護手段を構成する前記本体部は、２つの同一の本体片からなり、前記本体片のいずれか一方を反転させた構成からなる。【００１７】  係る構成により、本発明に係る保護具は、保護具を構成する本体部の部品点数を最小限に抑えることが可能となって、製造設備費、部品単価及び部品管理費を含む製品単価を大幅にコストダウンができる。【００１８】  また、上記した目的を達成するために、前記保護手段の前記本体部を構成する前記先端部と、前記平坦部とが重合構造であって、前記先端部と前記平坦部とが重合する範囲において、前記保護手段は、前記本体部の幅を所定の寸法に設定可能にした。【００１９】  係る構成により、本発明に係る保護具は、幅方向に異なるサイズの保護具を特に専用設備を備えることなく、一つの部品で製作可能なり、色々なサイズの保護具を容易に生産できばかりか、低コストで提供可能となった。【００２０】  また、上記した目的を達成するために、本発明に係る保護具は、前記本体部をなす前記本体片を製造する製造型は、前記本体片の内部形状と同一の形状を有するとともに、前記製造型は、中央部が同一断面を有する複数の型片に分割可能であり、前記型片の使用個数を可変した前記製造型によって、製造された前記本体片からなる前記保護手段である保護具の製造方法とした。【００２１】  係る構成により、本発明に係る保護具の製造方法は、長さ方向に異なるサイズの保護具を簡単な構造の製造型で製造でき、製造設備費を抑えられ、低コストで製造可能となった。また、本製造方法によって、色々なサイズの保護具を特に専用設備を備えることなく、容易に生産できるので従来では考えられないような色々なサイズの保護具を低コストで提供可能となった。【００２２】  また、上記した目的を達成するために、本発明に係る保護具は、前記本体部に於ける前記開口部の内方に、少なくとも一端を止着した内カバーと、前記内カバーの外方に前記締結手段を具備するとともに、前記内カバーと前記締結手段とを囲むように外カバーを被覆し、前記外カバーの一端を前記本体部に止着した。【００２３】  係る構成により、本発明に係る保護具は、本体部と、内カバーとに挿通のみされており、従来のように締結手段を保護手段へ止着するための縫製や超音波溶着等の止着方法が不要となった。また、内カバーと外カバーとの間に締結手段が具備されるので万一、締結手段が本人または周りの人に当たっても傷害を防止でき、かつ外観上も美観が向上する。【００２４】  また、上記した目的を達成するために、本発明に係る保護具は、前記締結手段がバックル本体と差し込み部及び誤動作防止部材とからなり、前記バックル本体と前記差し込み部とに渡って連結されたバンドとから構成した。【００２５】  係る構成により、本発明に係る保護具は、従来のように締結手段を専用に企画、設計、製作する必要がなくなり、また、簡単な構造の部材で誤動作を���止でき、利用者が一般に販売されている同様の機能を有する締結手段を購入して適用することもできて、利用者本位の保護具を提供できる。【００２６】  また、上記した目的を達成するために、本発明に係る保護具は、前記締結手段がビーズバンドタイプの係止部材またはループファスナーまたは面ファスナーまたは紐のいずれかからなる。【００２７】  係る構成により、本発明に係る保護具は、特に専用に企画、設計、製作された締結手段を使用することなく、利用者が一般に販売されている同様の機能を有する締結手段であるビーズバンドタイプの係止部材またはループファスナーまたは面ファスナーまたは紐が利用できるので低コストで保護具の提供可能となった。【００２８】  また、上記した目的を達成するために、本発明に係る保護具は、前記保護手段において、前記メッシュ素材が高密度ポリエチレン、低密度ポリエチレン、ポリプロピレンのいずれかからなる。【００２９】  係る構成により、本発明に係る保護具は、上記製造型でスムーズな曲面から構成される保護手段をドライヤー等の熱風を当てることによって、手作りでも製作可能になり、外観上も美観が向上するとともに、耐衝撃性に優れた保護具を低コストで提供可能となった。
【発明の効果】
【００３０】  本発明に係る保護具は、以下の述べる効果を奏する。
保護手段の本体部を同一の２つの本体片で製作でき、この２つの本体片を重合させ、この重合範囲を任意に設定することによって、色々な幅の保護具が容易に低コストで製作可能になる効果。【００３１】  保護手段の本体部を製造する製造型を特に専用に備えることなく、色々な長さの保護具を容易に低コストで製作できる効果。【００３２】  上記効果に加え、締結手段の構成を簡素にして、保護具への取り付け工程を不要とすることでコストダウンを可能にした。また、締結手段を覆い隠す外カバーによって、保護具の外方に締結手段を剥き出しにすることがなくなり、また、外カバーの外面に文字、色彩、キャラクター、絵柄等を施すことができ、さらに、色々なサイズの保護具が容易に製造できるので女性や子供でも抵抗感なく装着できる保護具の提供が可能になる等の効果もあった。
【発明を実施するための最良の形態】
【００３３】
【００３４】以下、本発明の好適な実施の形態を、添付した図面を参照しながら詳細に説明する。
【実施例】  以下に、本発明の実施の形態に係わる保護具を図１乃至図１１に示す。
図１は、本発明の実施の形態に係わる保護具の使用状態を示す斜視図、
図２は、本発明の実施の形態に係わる保護具の締結部の取り付け状態を示す斜視図、
図３は、図１に於けるＡ−Ａ線に沿う断面図、
図４は、本発明の実施の形態に係わる保護具の分解斜視図、
図５（Ａ）は、本発明の実施の形態に係わる保護具のビーズバンドタイプの締結手段を示す部分斜視図、
（Ｂ）は、本発明の実施の形態に係わる保護具のビーズバンドタイプの締結手段の締結状態を示す部分斜視図、
図６（Ａ）〜（Ｃ）は、本発明の実施の形態に係わる保護具を構成する本体片の製作工程を示す斜視図、
図７は、本発明の実施の形態に係わる保護具の本体片を製造する製造型の分解斜視図、
図８は、本発明の実施の形態に係わる保護具を構成する長さの異なる本体片の製作工程を示す斜視図、
図９（Ａ）〜（Ｃ）は、本発明の実施の形態に係わる保護具の本体片から本体部を製作する工程を示す図４に於けるＢ−Ｂ線に沿う一部省略した断面図、
図１０は、本発明の実施の形態に係わる保護具の締結手段と手首との締結前の説明図、
図１１は、本発明の実施の形態に係わる保護具の締結手段と手首との締結後の説明図である。
尚、前後、上下、左右方向は、図１、図４、図１０、図１１に示すように設定する。【００３５】  図１に示すように本発明の実施の形態に係わる保護具１は、通気性を有する半硬化樹脂のメッシュ素材からなり、利用者の手Ｈ全体を覆うように装着して手Ｈを保護するための保護手段である本体部２と締結手段である締結部材３とからなっている。本体部２は、前方向に丸みを帯びた先端部２２と、左右方向に対向してなる側部２３と、上下方向に対向してなる上方向の平坦部２４、下方向の平坦部２５とからなる閉塞形成された断面略楕円形状のグローブ形状をなしている。また、締結部材３は、締結した状態で誤作動防止部材３Ｋによって周囲が覆われた後に外カバー５によって覆い隠される。【００３６】  図２に示すように締結部材３は、内カバー４を介して本体部２に具備されている。
利用者が保護具１を使用する場合は、外カバー５をイ方向に捲って締結部材３を露出させてから締結操作するようになっている。締結部材３は、バックル部３０とバンド３３と筒状の誤作動防止部材３Ｋとから構成されている。該バックル部３０は、バックル本体３１と差し込み部３２とからなっており、バックル本体３１から差し込み部３２に渡り、バンド３３によって連結されている。また、バックル本体３１にはガイド孔３１ａと係止孔３１ｂ、３１ｂとが連通して設けられている。また、差し込み部３２にはガイド片３２ａと係止片３２ｂ、３２ｂとが設けられている。【００３７】  次に、バックル部３０のバックル本体３１と差し込み部３２との係止方法は、以下の通りである。まず、バックル本体３１のガイド孔３１ａに差し込み部３２のガイド片３２ａと係止片３２ｂ、３２ｂとを差し込むことによって、所定の位置で係止片３２ｂ、３２ｂが係止孔３１ｂ、３１ｂとが係止する。そして、係止されたバックル部３０のバックル本体３１との周囲に筒状の誤作動防止部材３Ｋ（図３参照）を被せるように所定の位置に移動させて締結が完了する。【００３８】  また、係止状態を解除するときは、誤作動防止部材３Ｋを元の位置に移動させてから係止片３２ｂ、３２ｂを外方から指で強く摘むと係止孔３１ｂ、３１ｂから係止状態が解除され、差し込み部３２を引き抜けるようになっている。このような締結部材３は、誤作動防止部材３Ｋを除いて、一般に市販されているものであって、本発明の保護具１のため特別に設計及び製作したものではないので開発コストを低く抑えられる。【００３９】  図３に示すように保護具１の本体部２の内方には空間Ｓが形成されており、手Ｈを収納するに十分なスペースを有している。また、本体部２の後方向には手首Ｗ近傍まで窄むように形成された開口部２６（図４も参照のこと）が形成されている。該開口部２６は、利用者の手Ｈを自在に出し入れが可能なサイズを有している。【００４０】  また、保護具１は、先端部２２と上下方向に対向する平坦部２４、２５がそれぞれ重なりあった重合構造となっており、特に先端及び上下方向の衝撃や落下物の衝撃から手Ｈを保護できる。一方、本体部２は半硬化樹脂のメッシュ素材を使用しているので、空間Ｓ内の手Ｈの状態を視認でき、ムレ等も防止できるとともに、介護分野での認知症患者が認知しない暴力的行為で認知症患者や介護者と接触した場合においても負傷を防止できる。【００４１】  また、保護具１は、利用者の意図しない強い掴む力に対しても本体部２は、全体的に卵形状を有しているため容易に変形しない。また、メッシュ素材に手Ｈの爪が引掛ることを防止するため、特に図示しないが空間Ｓ内に帯状にした不織布を貼り付けてもよい。【００４２】  図４に示すように保護具１の本体部２は、後述する同一の本体片１２を２片使用して構成されている。そして、２点差線で示される左右いずれか一方の本体片１２を１８０度反転（本実施例の場合は、右側の状態の本体片１２を１８０度反転させたものを左側の本体片１２とした。）させ、空間Ｓ内に先端部２２と上下方向に対向する平坦部２４、２５を差し込むように重ね合わせて構成されている。また、本体部２の後端部には締結部材３を具備するための取付け片２７、２８が開口部２６の後方に突出して形成されている。さらに取付け片２７、２８にはバンド３３が挿通するバンド通し孔２７ａ、２８ａがそれぞれ設けられている。【００４３】  また、内カバー４は、クッション性と伸縮性とを有する厚手の布素材からなっており、図２及び図３に示すように本体部２内に配設されている。そして、内カバー４は、本体部２の全周に渡って、縫製Ｎにより止着されている。さらに、内カバー４は、本体部２の取付け片２７、２８の後端部まで覆い隠すように縫製Ｍによっても止着されている。また、図４に示すように内カバー４にはバンド通し孔４ａ、４ｂ、４ｃ、４ｄが設けられている。該バンド通し孔４ａ、４ｂ、４ｃ、４ｄの位置は、図１０に示すように本体部２に形成された取付け片２７、２８のバンド通し孔２７ａ、２８ａとそれぞれ位置が合致するように配設されている。【００４４】  次に、締結部材３を本体部２に取り付け方を図４及び図１０を用いて説明する。
バックル部３０の差し込み部３２に連結されているバンド３３を取り外し、その端部を左上側の取付け片２７のバンド通し孔２７ａと直下に位置する内カバー４のバンド通し孔４ａに連通させる。そして、該バンド通し孔４ａの下方に位置するバンド通し孔４ｂと直下に位置する取付け片２８のバンド通し孔２８ａに連通させてバンド３３を内カバー４の外方に一旦、引き出す。【００４５】  次に、右下側の取付け片２７のバンド通し孔２７ａとその直上に位置する内カバー４のバンド通し孔４ｃに連通させる。さらに、上方に位置するバンド通し孔４ｄと直上に位置する取付け片２８のバンド通し孔２８ａに連通させた後、上方に引っ張り上げるとともにバンド３３の端部を取り外した差し込み部３２に再度連結して取り付けられている。このように締結部材３が本体部２に具備された状態を図１０に示している。【００４６】  また、外カバー５は、内カバー４と同様にクッション性と伸縮性とを有する厚手の布素材からなっており、図４に示すようにリング形状をなしており、本体部２に被せるように配設されている。また、図３に示すように本体部２の全周に渡って内カバー４と同様、縫製Ｎにより、止着されている。そして保護具１を使用する場合に外カバー５は、図１に示すように締結部材３を覆い隠すことができる。また、締結部材３を操作する場合は、図２に示すように矢印イ方向に捲り上げて締結部材３を露出させて操作することができる。【００４７】  さらに、外カバー５の後端５ａは、図３に示すように自由端となっており、そのクッション性と伸縮性とによって手首Ｗにフィットし、締結部材３及び手首Ｗを保護する。尚、図４に示す内カバー４及び外カバー５の形状は、本体部２に取り付けられた場合の形状であって取り付けられる前の形状は、それぞれ２点鎖線で示す内カバー１４、外カバー１５に表す形状となることは言うまでもない。また、外カバー５の外面に絵柄Ｐを施してもよい。また、絵柄Ｐは、例えば文字、色彩、キャラクター等であってもよい。絵柄Ｐが施された外カバー５によって、締結部材３の存在を希薄にでき、特に女性や子供の利用者の精神的負担を軽減できるようになる。【００４８】  本発明に於ける締結手段は、上記した締結部材３に限定することなく、例えば図５（Ａ）、（Ｂ）に示すビーズバンドタイプの締結部材であってもよい。このビーズバンドタイプの締結部材１３０は、樹脂素材からなり、図５（Ａ）に示すように一端にビーズ形状をした複数の係止ビーズ１３１が連結部１３１ａによって一体に形成され連結されている。さらに締結部材１３０の他端には複数の係止リング１３２が連結部１３２ａによって一体に形成され連結されている。【００４９】  また、係止リング１３２には係止ビーズ１３１の外径より僅かに小さい内径を有する係止孔１３２ｂが穿孔されており、さらに、連結部１３２ａの両端に溝１３１ｃが形成されている。さらに、締結部材１３０は、締結部材３と同様に係止状態を保護するための樹脂部材からなる筒状の誤作動防止部材１３０Ｋを備えている。尚、締結部材１３０の本体部２への取り付け方法は、上記した締結部材３と同様であるため説明を省略する。【００５０】  上記した締結部材１３０の締結方法を以下に簡単に説明する。図５（Ｂ）に示すように適宜な位置で複数の係止ビーズ１３１を複数の係止リング１３２の係止孔１３２ａに嵌入すると係止ビーズ１３１の外径が係止孔１３２ｂの内径より僅かに大きいので容易に外れることなく係止する。この時、係止リング１３２の両端に形成された溝１３１ｃに係止ビーズ１３１の連結部１３１ａが嵌め込まれる。さらに、係止された係止ビーズ１３１と係止リング１３２との周囲に筒状の誤作動防止部材１３０Ｋを被せるように所定の位置に移動させて締結が完了する。【００５１】  次に、上記した本体部２を構成する本体片１２の製造方法について図６（Ａ）〜（Ｃ）乃至図７を用いて説明する。
本体片１２は、図示しない射出成型機による一体成形または図６（Ａ）に示す製造型５０によって製造される。まず、図６（Ａ）に示すように本体片１２と同様な外観形状を有する製造型５０に半硬化樹脂のメッシュ素材からなるメッシュ材６０をドライヤー（図示せず）で熱しながら押し当てていくとメッシュ材６０は、半硬質の樹脂素材のため直ぐに軟らかくなって製造型５０の形状に徐々に馴染んでいき製造型５０と同じ形状に形成される。【００５２】  そして、図６（Ｂ）に示すように製造型５０に馴染んだメッシュ材６０は、冷ますと硬化して製造型５０に馴染んだままの形状を保持し、本体片１２と同形状を有する本体片元部材１３となる。【００５３】  次に、図６（Ｃ）に示すように本体片元部材１３の斜線部１３ａをカッター（図示せず）等で切り取ると取付け片２７、２８が形成される。さらに、該取付け片２７、２８にバンド通し孔２７ａ、２８ａを溶融またはメッシュを切断して形成すると本体片１２が完成する。本体片１２の素材は、前記した半硬化樹脂のメッシュ素材に限らず高密度ポリエチレン、低密度ポリエチレン、ポリプロピレン等の柔軟性に富んだ弾性変形する樹脂材を素材としても良く特に前記した半硬質の高密度ポリエチレン（商品名：トリカルネット（タキロン株式会社））が好適である。【００５４】  図６（Ａ）、（Ｂ）に示した製造型５０の構成について図７を用いて説明する。尚、文中に記載された本体片１２は、図６（Ｃ）を参照する。
製造型５０は、金属、木材、耐熱性の硬質樹脂のいずれかを素材とし、外観形状が本体片１２の内部形状と同形状を有している。また、製造型５０は、図４に示した保護具１の先端部２２に相当する先端型５１と、側部２３と上下方向に対向する平坦部２４、２５部分に相当する中央型５２と、後方に窄むように形成された開口部２６（図４参照）近傍の形状に相当する後端型５３とから構成されている。【００５５】  また、製造型５０の先端型５１と中央型５２と後端型５３にはそれぞれ位置決めと連結とを目的とした差し込みピンＰか組み付け穴Ｑかのいずれか一方または両方がそれぞれ設けられており、分割及び連結が容易にできる構造となっている。さらに中央型５２は、複数の中央型片５２−１、５２−２、５２−３から構成されており、複数の中央型片５２−１、５２−２、５２−３は、製造型５０を使用して製造される本体片１２の長さを所望のサイズに合わせられるように、組み合わせ個数を変えられる構造になっている。【００５６】  例えば、図８に示すように上記した本体片１２より長さの短い本体片を製造する場合は、１個のサイズが寸法Ｌを有する中央型片５２−３を取り外して、中央型５２の中央型片を３個から２個にすることによって、寸法Ｌ分だけ長さの短い本体片１２Ｓが製造できる。【００５７】  また、中央型５２の分割数は、本実施例に限定されるものではなく、利用者の要望によって、製造者が適宜に設定できる。また、製造型５０の各分割型の位置決め及び締結方法についても、実施例に限らず、図示しないがボルト締め、チャッキング装置等製造者が適宜な構造及び装置を採用してもよいことは特に言うまでもない。【００５８】  次に、上記のように製造された本体片１２から保護具１の本体部２を製作する工程を図４及び図９（Ａ）〜（Ｃ）を用いて説明する。本実施例では右側の本体片１２を１８０度反転させたものを左側の本体片１２とした。【００５９】  まず、図９（Ａ）に示すように、柔軟性を有する左右の本体片１２の端部１２ａを対向して配置する。本実施例の場合、右側の状態の本体片１２を１８０度反転させたものを左側の本体片１２としたので平坦部２４、２５は、左右の本体片１２で逆になる。【００６０】  次に、図９（Ｂ）に示すように右側の本体片１２の空間Ｓ内に対向した左側の本体片１２の端部１２ａを窄めながら嵌め込んでいくと、左右の本体片１２の平坦部２４、２５が、それぞれ重なり合う。【００６１】  そして、図９（Ｃ）に示すように平坦部２４、２５を所定の幅Ｅに設定した後、図示しないドライヤー等により、それぞれ重なり合う部分に熱風を当てるとメッシュ素材が溶融して一体化し、本体部２の平坦部２４、２５が形成される。同時に先端部２２も重合構造に形成されて本体部２が完成する。【００６２】  本体部２の幅Ｅは、平坦部２４、２５の重なり部分の範囲内で自在に設定できる。従って、色々な幅Ｅを有する本体部２を一種類の本体片１２から容易に製作することが可能になるので製造設備費を最小限に抑えることができ製品のコストダウンが図ることができる。【００６３】  また、本体部２の平坦部２４、２５及び先端部２２が重合構造を有するため半硬化樹脂のメッシュ素材であっても、強度が高くなって、曲げにも強くなる。従って、利用者が本体部２を予期しない強い力で握っても従来の保護具ように折り曲げられることがなくなって前記手Ｈを保護できる。【００６４】  上記構成からなる保護具１への手Ｈの装着の仕方について図１０及び図１１を用いて説明する。尚、本説明に於いて誤作動防止部材３Ｋ（図１乃至図３参照）については、その機能をすでに説明をしているので説明及び図面を省略した。【００６５】  まず、図１０に示すように締結部材３であるバックル部３０のバックル本体３１の係止孔３１ｂ、３１ｂ（図２参照）に係止された差し込み部３２の係止片３２ｂ、３２ｂ（図４参照）を指で強く摘んで係止を解除して差し込み部３２を脱抜し、この差し込み部３２に連結されているバンド３３を本体部２に形成された開口部２６とほぼ同じサイズになるように外方に押し広げる。そして、押し広げられたバンド３３の内方から開口部２６に手Ｈを差し入れることにより、本体部２の空間Ｓに収納される。【００６６】  次に、図１１に示すように本体部２の空間Ｓの内部に手Ｈを収納した後、バンド３３の端部３３ａを引っ張るとバンド３３が内カバー４を介して、手首Ｗに巻き付けられる。この時、バンド３３は、上下に形成された取付け片２７、２８のそれぞれのバンド通し孔２７ａ、２８ａに差し込まれている。【００６７】  また、半硬化樹脂のメッシュ素材からなる取付け片２７、２８は、柔軟性を有しているのでバンド３３に引っ張られながら変形して、手首Ｗを押さえるように囲んだ状態になる。この状態で差し込み部３２の係止片３２ｂ、３２ｂ（図２参照）をバックル本体３１の係止孔３１ｂ、３１ｂ（図２参照）に差し込むとバックル本体３１が連結され、手首Ｗが保護具１に締結される。【００６８】  次に、保護具１から手Ｈの取り外しについて説明する。
図１１に示す状態からバックル本体３１の係止孔３１ａ、３１ａ（図２参照）に係止された差し込み部３２の係止片３２ａ、３２ａ（図２参照）を指で強く摘むと、この係止片３２ａ（図２参照）は、係止孔３１ａ（図２参照）から係止が解除されて脱抜し、図１０に示すように締結部材３の締結が解除される。【００６９】  そして、バンド３３を本体部２に形成された開口部２６とほぼ同じサイズになるように外方に押し広げて、本体部２の空間Ｓの内部に収納された手Ｈを押し広げられたバンド３３から引き出すことによって、保護具１から手Ｈを取り外すことができる。
【産業上の利用可能性】
【００７０】  本発明の保護具について、好ましい実施形態を示して説明したが、本発明は、上述した実施形態にのみ限定されるものではなく、本発明の範囲で種々の変更実施が可能であることは言うまでもない。例えば、保護具の締結手段は、上述した締結部材に限らす、ループファスナーや面ファスナー（商品名：マジックテープ（株式会社クラレ））と称されるテープの両端の表裏にループまたはホックをそれぞれ設けた係止構造による締結手段であっても良い。また、単なる幅広の紐で縛る締結手段であっても良いことは言うまでもない。また、さらに保護具によって保護されるべき対象が手の収納に限定されるものではなく、同様の目的であるならば保護具の形状を保護されるべき対象に合わせて足等にも適用できることはさらに言うまでもない。
【図面の簡単な説明】
【００７１】
【図１】  本発明の実施の形態に係わる保護具の使用状態を示す斜視図である。
【図２】  本発明の実施の形態に係わる保護具の締結部の取り付け状態を示す斜視図である。
【図３】  本発明の実施の形態に係わる保護具の図１に於けるＡ−Ａ線に沿う断面図である。
【図４】  本発明の実施の形態に係わる保護具の保護具の分解斜視図である。
【図５】  （Ａ）は、本発明の実施の形態に係わる保護具のビーズバンドタイプの締結手段を示す部分斜視図である。（Ｂ）は、本発明の実施の形態に係わる保護具のビーズバンドタイプの締結手段の締結状態を示す部分斜視図である。
【図６】  （Ａ）〜（Ｃ）は、本発明の実施の形態に係わる保護具を構成する本体片の製作工程を示す斜視図である。
【図７】  本発明の実施の形態に係わる保護具の本体片を製造する製造型の分解斜視図である。
【図８】  本発明の実施の形態に係わる保護具を構成する長さの異なる本体片の製作工程を示す斜視図である。
【図９】  （Ａ）〜（Ｃ）は、本発明の実施の形態に係わる保護具の本体片から本体部を製作する工程を示す図４に於けるＢ−Ｂ線に沿う一部省略した断面図である。
【図１０】  本発明の実施の形態に係わる保護具の締結手段と手首との締結前の説明図である。
【図１１】  本発明の実施の形態に係わる保護具の締結手段と手首との締結後の説明図である。
【符号の説明】
【００７２】１      保護具
２      本体部
３      締結部材
３Ｋ    誤作動防止部材
４      内カバー
４ａ、４ｂ、４ｃ、４ｄ  バンド通し孔
５      外カバー
５ａ    後端
１２、１２Ｓ  本体片
１２ａ  端部
２２    先端部
２３    側部
２４、２５  平坦部
２６    開口部
２７、２８  取付け片
２７ａ、２８ａ  バンド通し孔
３０    バックル部
３１    バックル本体
３１ａ  ガイド孔
３１ｂ  係止孔
３２    差し込み部
３２ａ  ガイド片
３２ｂ  係止片
３３    バンド
５０    製造型
５１    先端型
５２    中央型
５２−１、５２−２、５２−３  中央型片
５３    後端型
６０    メッシュ材
Ｅ      幅
Ｈ      手
Ｌ      寸法
Ｎ、Ｍ  縫製
Ｐ      差し込みピン
Ｓ      空間
Ｑ      組み付け穴
Ｗ      手首
【図１】
2007021149.tif 000003
【図２】
2007021149.tif 000004
【図３】
2007021149.tif 000005
【図４】
2007021149.tif 000006
【図５】
2007021149.tif 000007
【図６】
2007021149.tif 000008
【図７】
2007021149.tif 000009
【図８】
2007021149.tif 000010
【図９】
2007021149.tif 000011
【図１０】
2007021149.tif 000012
【図１１】
2007021149.tif 000013